(57)【要約】【課題】雨傘から垂れる滴によってフロアを濡らしたり、他人の衣服に接触して迷惑を掛けることがなく、また傘カバーに溜まった滴を簡単に処理でき、使い勝手の向上を図ると共に、構造が簡単で、軽量な雨傘カバー及び雨傘カバー付き雨傘を提供する。【解決手段】雨傘１１の石突き１３に装着され、雨で濡れた傘地１６を被うことにより、滴が垂れるのを防止する雨傘カバーにおいて、雨傘１１の石突き１３に装着され、傘地１６から垂れる滴を溜める集溜部２２を有すると共に集溜部２２に溜まった滴を排水する開閉自在な排水弁２４を有する装着部材１８と、この装着部材１８に連結され、不使用時には収縮状態であり、使用時には雨傘１１の取っ手１４近傍まで展開して傘地１６を被うことができる傘カバー部材２５とを具備したことを特徴とする。【選択図】図１
0003122967.tif 000002
【実用新案登録請求の範囲】
【請求項１】
雨傘の石突きに装着され、雨で濡れた傘地を被うことにより、滴が垂れるのを防止する雨傘カバーにおいて、前記雨傘の石突きに装着され、前記傘地から垂れる滴を溜める集溜部を有すると共に前記集溜部に溜まった滴を排水する開閉自在な排水弁を有する装着部材と、この装着部材に連結され、不使用時には収縮状態であり、使用時には雨傘の取っ手近傍まで展開して前記傘地を被うことができる傘カバー部材とを具備したことを特徴とする雨傘カバー。
【請求項２】
前記排水弁は、前記傘カバー部材を取っ手方向に引き上げる操作により、前記装着部材が変形して開口し、前記集溜部に溜まった滴を排水することを特徴とする請求項１記載の雨傘カバー。
【請求項３】
石突き及び取っ手を有する傘軸と、この傘軸に設けられた傘地と、前記石突きに装着され、雨で濡れた傘地を被うことにより、滴が垂れるのを防止する雨傘カバーとからなる雨傘カバー付き雨傘において、前記石突きに装着され、前記傘地から垂れる滴を溜める集溜部を有すると共に前記集溜部に溜まった滴を排水する開閉自在な排水弁を有する装着部材と、この装着部材に連結され、不使用時には収縮状態であり、使用時には前記取っ手近傍まで展開して前記傘地を被うことができる傘カバー部材とを具備したことを特徴とする雨傘カバー付き雨傘。
【考案の詳細な説明】
【技術分野】
【０００１】
この考案は、雨傘の石突きに装着され、雨で濡れた傘地を被うことにより、滴が垂れるのを防止する雨傘カバー及び雨傘カバー付き雨傘に関する。
【背景技術】
【０００２】
雨で濡れた雨傘を店内や電車内に持ち込むと、雨傘から滴が垂れるため、フロアを濡らしたり、他人の衣服に接触して迷惑を掛けることになる。そこで、デパート、レストランあるいは美術館等においては、入口にビニール製の傘袋を用意し、雨で濡れた雨傘を傘袋に収納して携帯できるようにしている。
【０００３】
また、雨傘の石突きに雨傘カバーを折り畳み状態に装着し、雨で濡れた雨傘を閉じて店内や電車内に持ち込む際には、雨傘カバーを傘の取っ手の方向に引き伸ばして雨で濡れた傘地を雨傘カバーで被うことができるようにしたものも知られている（例えば、特許献1及び２参照。）。
すなわち、特許文献1は、ゴム状素材による筒状の傘袋をリング状に巻き取った状態で石突きに装着したものであり、特許文献２は、複数の円筒体を同心状に嵌合した状態で石突きに装着したものである。
【特許文献１】特許第３３９３１２２号公報
【特許文献２】特許第２６７６４１８号公報
【考案の開示】
【考案が解決しようとする課題】
【０００４】
しかし、従来のビニール製の傘袋は、その開口部を開口させて濡れた雨傘を挿入する操作が煩わしいと共に、使用後に雨傘から傘袋を抜き取ったときに傘袋に溜まった滴が流れ出すことがあり、使い勝手が悪い。特許文献１のものは、傘袋の滴が溜まり、その処理ができない。特許文献２のものは、滴の溜まる部分及び水抜きキャップが設けられているが、構造的に複雑で重くなり、コストアップであると共に、水抜き操作が煩わしく、使い勝手が悪いという問題がある。
この考案は、前記事情に着目してなされたもので、その目的とするところは、雨傘から垂れる滴によってフロアを濡らしたり、他人の衣服に接触して迷惑を掛けることがなく、また傘カバーに溜まった滴を簡単に処理でき、使い勝手の向上を図ると共に、構造が簡単でコストダウンを図ることができる雨傘カバー及び雨傘カバー付き雨傘を提供する。
【課題を解決するための手段】
【０００５】
この考案は前記目的を達成するために、雨傘の石突きに装着され、雨で濡れた傘地を被うことにより、滴が垂れるのを防止する雨傘カバーにおいて、前記雨傘の石突きに装着され、前記傘地から垂れる滴を溜める集溜部を有すると共に前記集溜部に溜まった滴を排水する開閉自在な排水弁を有する装着部材と、この装着部材に連結され、不使用時には収縮状態であり、使用時には雨傘の取っ手近傍まで展開して前記傘地を被うことができる傘カバー部材とを具備したことを特徴とする。
【０００６】
また、石突き及び取っ手を有する傘軸と、この傘軸に設けられた傘地と、前記石突きに装着され、雨で濡れた傘地を被うことにより、滴が垂れるのを防止する雨傘カバーとからなる雨傘カバー付き雨傘において、前記石突きに装着され、前記傘地から垂れる滴を溜める集溜部を有すると共に前記集溜部に溜まった滴を排水する開閉自在な排水弁を有する装着部材と、この装着部材に連結され、不使用時には収縮状態であり、使用時には前記取っ手近傍まで展開して前記傘地を被うことができる傘カバー部材とを具備したことを特徴とする。
【考案の効果】
【０００７】
この考案によれば、雨傘から垂れる滴によってフロアを濡らしたり、他人の衣服に接触して迷惑を掛けることがなく、また雨傘カバーに溜まった滴を簡単に処理でき、使い勝手の向上を図ると共に、構造が簡単で軽量であり、しかもコストダウンを図ることができるという効果がある。また、雨傘カバーは、既存の雨傘に装着することにより、同様の効果が得られる。
【考案を実施するための最良の形態】
【０００８】
以下、この考案の実施の形態を図面に従い具体的に説明する。
【０００９】
図１は雨傘カバー付き雨傘を示し、（ａ）〜（ｄ）は使用形態の斜視図、図２は図１のＡ部を拡大して示し、（ａ）は排水弁が閉じた状態の縦断側面図、（ｂ）は排水弁が開いた状態の縦断側面図、（ｃ）はＢ−Ｂ線に沿う断面図である。
【００１０】
図１に示すように、雨傘１１は傘軸１２の先端部には石突き１３が、基端部には取っ手１４が設けられている。傘軸１２には傘骨１５によって開いたり、閉じたりできる傘地１６が設けられている。このように構成された雨傘１１の石突き１３には雨傘カバー１７が着脱可能に装着され、傘を閉じたとき、雨で濡れた傘地１６を被うことにより、傘地１６から滴が垂れるのを防止できるようになっている。
図２に示すように、石突き１３の基端部には装着部材１８が設けられている。この装着部材１８はゴムまたは軟質合成樹脂材料によって一体成形されており、内周部には石突き１３に嵌着される内周筒部１９と、この内周筒部１９と一体に成形された中間筒部２０及び中間筒部２０と一体に成形された外周筒部２１とから構成されている。そして、内周筒部１９の上縁部に中間筒部２０の上縁部が連結され、中間筒部２０の下縁部に外周筒部２１の下縁部が連結部２１ａを介して連結され、装着部材１８は断面が略Ｎ字形に形成されている。
【００１１】
中間筒部２０と外周筒部２１とで断面が略Ｖ字形に形成され、傘地１６から垂れる滴ａを溜める集溜部２２が形成されている。さらに、中間筒部２０の下端部には周方向に適宜間隔を存して複数の排水孔２３が設けられている。また、これら排水孔２３に対向する内周筒部１９には排水孔２３を開閉する凸部からなる複数の排水弁２４が突設されている。中間筒部２０はその内周面が内周筒部１９の外周面に密着するように癖が付けられ、排水弁２４は排水孔２３に挿入されて排水孔２３を閉塞している。しかし、外周筒部２１が上方に引き上げられると、連結部２１ａを介して中間筒部２０が内周筒部１９から離れるように変形し、排水弁２４から排水孔２３が抜け、排水孔２３が開口して集溜部２２の滴ａが外部に排水するようになっている。
さらに、装着部材１８の外周筒部２１の上縁部には傘地１６を被う傘カバー部材２５が縫い合せ等で連結されている。傘カバー部材２５は、例えば傘地１６と同一材質、同一柄で、筒袋状に形成され、不使用時には筒方向にコンパクトに収縮（折り畳み）されて石突き１３の部分にあり、使用時には取っ手１４の近傍まで展開して傘地１６の全体を被うことができ、しかも傘カバー部材２５の上縁部には傘骨１５の端部に結束可能な結束紐２６が設けられている。
【００１２】
このように構成された雨傘カバー付き雨傘によれば、雨傘１１の不使用時には、図１（ｄ）に示すように、傘カバー部材２５を取っ手１４の近傍まで展開して傘地１６の全体を被うことにより通常の傘カバーとなる。また、降雨時に雨傘１１を広げて使用する際には、図１（ａ）に示すように、傘カバー部材２５を石突き１３に部分にコンパクトに収縮することにより、傘カバー部材２５が邪魔になることはない。雨で濡れた雨傘１１を閉じて携帯しながら店内に入ったり、電車等に乗車する際には、図１（ｂ）に示すように、石突き１３に部分に収縮状態にある傘カバー部材２５を、図１（ｃ）に示すように、引き上げると、雨で濡れた傘地１６は傘カバー部材２５によって被われ、図１（ｄ）に示すように、傘地１６の全体が傘カバー部材２５で被われる。このとき、雨で濡れた傘地１６から滴ａが流れ落ちるが、滴ａは集溜部２２に集溜され、雨傘１１から流れ落ちることはなく、フロアを濡らしたり、他人の衣服に濡れた傘地１６が接触して迷惑を掛けることがない。
【００１３】
雨で濡れた傘地１６に大量の水分が付着し、集溜部２２に集溜された滴ａが一杯あるいは滴ａによって雨傘１１に重みを感じたとき、排水施設のある場所で排水弁２４を開弁して排水孔２３から滴ａを外部に排水することができる。すなわち、傘カバー部材２５の上縁部を手で摘んで、傘カバー部材２５を引き上げると、外周筒部２１が上方に引き上げられる。従って、外周筒部２１を介して中間筒部２０が内周筒部１９から離れるように変形し、排水弁２４から排水孔２３が抜け、排水孔２３が開口して集溜部２２の滴ａが外部に排水される。集溜部２２の滴ａが外部に排水した後、傘カバー部材２５を引き上げる力を離すと、中間筒部２０は弾性によって内周筒部１９の外周面に密着し、排水弁２４は排水孔２３を閉塞する。
従って、雨傘から垂れる滴によってフロアを濡らしたり、他人の衣服に接触して迷惑を掛けることがなく、また雨傘カバーに溜まった滴を簡単に処理でき、使い勝手の向上を図ると共に、構造が簡単で軽量であり、しかもコストダウンを図ることができる。
【図面の簡単な説明】
【００１４】
【図１】この考案の雨傘カバー付き雨傘を示し、（ａ）〜（ｄ）は使用形態の斜視図。
【図２】図１のＡ部を拡大して示し、（ａ）は排水弁が閉じた状態の縦断側面図、（ｂ）は排水弁が開いた状態の縦断側面図、（ｃ）はＢ−Ｂ線に沿う断面図。
【符号の説明】
【００１５】
１１…雨傘、１２…傘軸、１３…石突き、１４…取っ手、１６…傘地、１７…雨傘カバー、１８…装着部材、２２…集溜部、２４…排水弁、２５…傘カバー部材
【図１】
0003122967.tif 000003
【図２】
0003122967.tif 000004